(57)【要約】【課題】販売の邪魔と成らないように、同一の陳列室内にストック商品を保管し、容易に商品陳列棚への補充作業を行うことを可能とするオープンショーケースを提供する。【解決手段】前面が開口する陳列室１１内に商品陳列用の棚装置１２を備えたオープンショーケース１において、棚装置１２上方に設けられた引出／巻取自在の予冷カバー３１を備え、予冷カバー３１を引き出し、その下端部に設けられた縁部材４１の当接部４３を棚前部を構成する前面板２７若しくは、前面板２７に取り付けられる取付板３２に着脱自在に取り付けることにより、当該棚装置１２上の空間を前面より隠蔽可能とした。【選択図】図２
2008079675.tif 000002
【特許請求の範囲】
【請求項１】
前面が開口する陳列室内に商品陳列用の棚を備えたオープンショーケースにおいて、
前記棚上方に設けられた引出／巻取自在のカバーを備え、該カバーを引き出し、その下端部を前記棚前部に着脱自在に取り付けることにより、当該棚上の空間を前面より隠蔽可能としたことを特徴とするオープンショーケース。
【請求項２】
前記カバー下端部を永久磁石により前記棚前部に吸着させて取り付けることを特徴とする請求項１に記載のオープンショーケース。
【請求項３】
前記カバー下端部には前記棚前部に係脱自在に係合する係合部を設けたことを特徴とする請求項１又は請求項２に記載のオープンショーケース。
【請求項４】
前記カバー下端部が前記棚前部に取り付けられた状態で、当該カバー下端部と棚前面との間には空間が形成されることを特徴とする請求項１乃至請求項３の何れかに記載のオープンショーケース。
【発明の詳細な説明】
【技術分野】
【０００１】
本発明は、前面が開口する陳列室内に商品陳列用の棚を備えたオープンショーケースにおけるストック商品の収納に関するものである。
【背景技術】
【０００２】
従来よりスーパーマーケットやコンビニエンスストアなどに設置されるショーケースは、断熱壁の内側に間隔を存して設けた仕切板との間にダクトを構成し、仕切板の内側には陳列室を構成すると共に、ダクトには冷却器と送風機を設置し、この冷却器と熱交換した冷気を送風機により、ダクトから陳列室内に吹き出す構成とされている。更に、この陳列室内には、複数段の棚が架設される。また、棚上面には、電気ヒータが取り付けられており、棚上方の陳列室内の商品の加温も可能な構成とされている（特許文献１参照。）。
【０００３】
このようなショーケースでは、陳列室内に陳列される商品が販売されることにより、減少すると、店員は商品の補充作業を行う。一般に、ストック商品は、温度調整が行われていない倉庫等に収納されている。この倉庫等は、店舗内温度等の常温であることから、ストック商品の温度も略常温とされている。そのため、当該ストック商品をそのまま陳列室内に陳列した場合には、当該商品は、すぐに販売に適した温度とされていないことから、適切な商品の販売を行うことができないという問題がある。また、大量のストック商品を陳列室内に補充した場合には、陳列室内を冷却使用中では、陳列室全体の温度が大きく上昇し、陳列室内を加温している場合にあっては、陳列室全体の温度が大きく低下することとなる。そのため、補充前から陳列室内に陳列されていた商品についても商品の販売に適した温度から大きくはずれることとなり、商品陳列直後から所定時間は、陳列室のすべての商品について適切な販売ができないという問題があった。
【０００４】
そこで、一定の設置面積を有する店舗などにおいては、ショーケースの背面に、当該ショーケースの陳列室内と連通可能とするプレハブ冷却庫等を設置し、このプレハブ冷却庫等にストック商品を保管しておくことで、ストック商品の温度をショーケースの陳列室内の温度と略同等とするものがある。これによると、補充時における陳列室内の大きな温度変動を抑制することが可能となると共に、補充直後の商品についても迅速に販売に適した状態とすることが可能となる。
【特許文献１】特開２００５−３１０３７号公報
【発明の開示】
【発明が解決しようとする課題】
【０００５】
しかしながら、上記従来技術のようなプレハブ冷却庫をショーケースの背面に設置するものは、所定の設置面積を確保しなければ成らない。そのため、駅の売店や、駅のホーム等のような限られた狭小な面積に設置される場合においては、このようなプレハブ冷却庫を設けることができないため、適温、又は適温に近い温度にてストック商品を保管することができないという問題がある。
【０００６】
また、駅の売店などでは、短時間に来客が集中するため、店員は販売対応に加えて、早期に商品の補充を行う必要がある。そこで、限られた設置面積で、商品陳列棚に収容可能とする商品量の拡大を図るため、オープンショーケース自体の高さを大きくし、商品陳列棚の段数を増加させることが考えられるが、上方の商品陳列棚に載置された商品は、顧客が容易に取り出すことができず、適切な販売を行うことができないという問題がある。
【０００７】
そこで、本発明は従来の技術的課題を解決するためになされたものであり、販売の邪魔と成らないように、同一の陳列室内にストック商品を保管し、容易に商品陳列棚への補充作業を行うことを可能とするオープンショーケースを提供する。
【課題を解決するための手段】
【０００８】
本発明は、前面が開口する陳列室内に商品陳列用の棚を備えたオープンショーケースにおいて、棚上方に設けられた引出／巻取自在のカバーを備え、該カバーを引き出し、その下端部を棚前部に着脱自在に取り付けることにより、当該棚上の空間を前面より隠蔽可能としたことを特徴とする。
【０００９】
請求項２の発明は、上記発明において、カバー下端部を永久磁石により棚前部に吸着させて取り付けることを特徴とする。
【００１０】
請求項３の発明は、上記各発明において、カバー下端部には棚前部に係脱自在に係合する係合部を設けたことを特徴とする。
【００１１】
請求項４の発明は、上記各発明において、カバー下端部が棚前部に取り付けられた状態で、当該カバー下端部と棚前面との間には空間が形成されることを特徴とする。
【発明の効果】
【００１２】
本発明によれば、前面が開口する陳列室内に商品陳列用の棚を備えたオープンショーケースにおいて、棚上方に設けられた引出／巻取自在のカバーを備え、該カバーを引き出し、その下端部を棚前部に着脱自在に取り付けることにより、当該棚上の空間を前面より隠蔽可能としたので、当該棚上にストック商品を収納し、カバーにより隠蔽しておくことで、ストック商品が顧客の目に触れることなく、陳列室内に収納しておくことが可能となる。そのため、当該カバーを棚前部から取り外すことで、容易に棚上のストック商品の補充作業を行うことが可能となる。また、ストック商品はカバーによって前面が隠蔽されているため、誤って顧客がストック商品を取り出してしまう不都合を回避することが可能となる。
【００１３】
請求項２の発明によれば、上記発明に加えて、カバー下端部を永久磁石により棚前部に吸着させて取り付けたので、容易にカバーを棚前部に取り付けることが可能となり、取付作業性の向上を図ることが可能となる。
【００１４】
請求項３の発明によれば、上記各発明に加えて、カバー下端部には棚前部に係脱自在に係合する係合部を設けたので、上記永久磁石が外れてしまった場合であっても、安定してカバーを棚前部に取り付けることが可能となる。これにより、不要にカバーが巻き上げられてしまう不都合を回避することができる。
【００１５】
請求項４の発明によれば、上記各発明に加えて、カバー下端部が棚前部に取り付けられた状態で、当該カバー下端部と棚前面との間には空間が形成されることにより、当該カバーにて隠蔽された棚上の空間と、それ以外の陳列室内の空間における空気の流通を行うことが可能となる。そのため、例えば陳列室内を冷却又は加温して用いる場合であっても、当該カバーにて前面が隠蔽された棚上の空間を冷却又は加温することが可能となり、当該棚上のストック商品を冷却又は加温することが可能となる。そのため、陳列室に補給した際に販売に供せるようになるまでの時間をなくし、又は、短縮することができるようになる。
【００１６】
また、陳列室内を冷却して使用する場合には、当該カバー下端部と棚前面との間に空間が形成されているため、カバーの内面に結露が発生する不都合を防止することが可能となる。
【発明を実施するための最良の形態】
【００１７】
以下、図面を参照して、本発明を適用したオープンショーケース１について詳述する。図１は本発明を適用したオープンショーケース１の斜視図、図２は図１のオープンショーケース１の縦断側面図を示している。本実施例のオープンショーケース１は、例えばスーパーマーケットなどの店舗内に複数台据え付けられる冷蔵タイプの多段オープンショーケースであり、前面に開口する断面略コ字状の断熱壁３と、その両側に取り付けられる側板４、４によって本体２が構成されている。
【００１８】
この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。これら背面パネル６と天面パネル７の内側が陳列室１１とされている。また、この天面パネル７には、庫内温度を検出するための庫内温度センサ２４が取り付けられている。そして、この庫内温度センサ２４の後方に位置して天面パネル７には、前部が高く後部が低くなる段差７Ａが形成されている。当該段差７Ａにより形成される前方に面した傾斜面には、背面ダクト９内を流通する冷気を陳列室１１側に取り付けられる庫内温度センサ２４に吹き付けるための冷気吐出孔（パンチング）７Ｂが形成されている。
【００１９】
他方、陳列室１１の底部には、背面パネル６の下端から前方に延在して形成されるデッキパン１０が取り付けられ、このデッキパン１０の下方は、前記背面ダクト９に連通してその一部を構成する下部ダクト１４とされている。そして、この下部ダクト１４内には、冷気循環用の送風機１９が配設されると共に、陳列室１１後方の背面ダクト９内には冷却装置の冷凍サイクルを構成する冷却器１５が縦設されている。
【００２０】
断熱壁３と両側板４、４にて囲繞された陳列室１１の前面開口の上縁には、冷気吐出口１６が形成されており、当該冷気吐出口１６は、背面ダクト９に連通している。また、前面開口の下縁には、全幅に渡って複数のスリットから成る冷気吸込口１７が形成されており、前記下部ダクト１４に連通している。
【００２１】
背面ダクト９に縦設される冷却器１５と共に冷却装置を構成する図示しない圧縮機や凝縮器等の冷却ユニットは、当該ショーケース１が設置される場所とは異なる設置場所に設けられており、ショーケース１の冷却器１５とは配管により接続されているものとする。
【００２２】
そして、圧縮機及び送風機１９が運転されると、下部ダクト１４内の空気は後方の背面ダクト９に向けて吹き出され、当該背面ダクト９において冷却器１５と熱交換した後、上昇し、前面開口上縁の冷気吐出口１６から開口下縁の冷気吸込口１７に向けて吹き出される。
【００２３】
これによって、陳列室１１の前面開口には、上端から下方に向けて吹き出される冷気流により冷気エアーカーテンが形成され、前面開口からの外気の侵入を阻止、若しくは抑制すると共に、当該冷気エアーカーテンの一部が陳列室１１内に循環して陳列室１１内は冷却される。そして、これらの冷気は冷気吸込口１７から下部ダクト１４内に帰還し、送風機１９に再び吸い込まれることになる。
【００２４】
一方、陳列室１１内には棚装置１２が複数段、本実施例では上下に７段架設されている。各棚装置１２は、後端に後方に突出する鉤状の爪を有した左右一対のブラケット２０、２０により、陳列室１１内に設けられる棚支柱２２に保持される。棚支柱２２は、陳列室１１内の背面パネル６の前面両側に取り付けられるものであり、上下方向に図示しない取付孔が複数形成されている。そのため、当該取付孔に前記ブラケット２０の爪を係脱自在に係合させることにより、各棚装置１２は陳列室１１内において上下位置（高さ）を変更可能に架設される。
【００２５】
尚、本実施例では、最上段を構成する棚装置１２をストック商品Ｓを載置するための棚装置１２Ａとし、上から二段目を構成する棚装置１２も同様に棚装置１２Ｂとする。ここで、本実施例では、オープンショーケース１の全体の高さ寸法は、従来の約１８００ｍｍ程度よりも高い約２１００ｍｍ程度であるものとする。そのため、棚支柱２２、２２に架設される最上段の棚装置１２Ａ及びその下方に架設される棚装置１２Ｂ上に陳列・収納される商品は、顧客によっては手が届きにくい場合があり、当該棚装置１２Ａ、１２Ｂは、あまり販売に適さない高さに位置することとなる。
【００２６】
棚装置１２は、図３の棚装置１２の部分斜視図に示すように、鋼板製材料にて構成される棚板２５と、当該棚板２５の両側端に取り付けられる側板２６、２６と、棚板２５の左右に渡って前端に取り付けられ、当該棚装置１２の前面を構成する前面板２７とから構成される。この前面板２７は、上端が棚板２５の上面よりも上方に延在して形成される。そして、両側板２６、２６は、上端が前面板２７の上端よりも上方に延在して形成されると共に、下端も前面板２７の下端よりも下方に延在して形成される。
【００２７】
特に、前記最上段の棚装置１２Ａ及びその下方に架設される棚装置１２Ｂを構成する前面板２７は、それ自体が磁石（後述する永久磁石３０）の吸着を許容する金属性材料により構成されていても良いが、本実施例では、当該前面板２７の前面に後述する予冷カバー（カバー）３１に取り付けられる永久磁石３０を当接し、磁力によって固定するため、格別に磁石の吸着を許容する金属性材料により構成された取付板３２が取り付けられる。
【００２８】
尚、本実施例では、上記棚装置１２Ａ及び１２Ｂ以外の棚装置１２を構成する前面板２７には、販売に供される商品を陳列するため、全幅に渡ってプライスレール２８が取り付けられている。
【００２９】
また、各棚装置１２（１２Ａ、１２Ｂを含む）を構成する棚板２５の下面には、加温用の図示しない電気ヒータが取り付けられている。更に、当該棚板２５の下面には、下側に架設される棚装置１２上の商品や、陳列室１１前方を照明するための図示しない照明灯が取り付けられていても良いものとする。
【００３０】
一方、断熱壁３の天壁３Ａ前端には、キャノピー（庇）３３が全幅に渡り、前方に突出して取り付けられており、このキャノピー３３の内側には、照明灯３４が取り付けられている。更に、照明灯３４より後方のキャノピー３３の下面には、ナイトカバー３５が取り付けられた保持具３６が取り付けられている。
【００３１】
ナイトカバー３５は保持具３６の下面前端から下方に引き出される。また、ナイトカバー３５は内部中空糸の織物から成る基材の一面若しくは両面に水蒸気を透過させ、且つ、低温（例えば−２０℃〜＋１６℃の温度）においても当該透過特性が維持されるフィルムをラミネートした素材にて構成されている。また、ナイトカバー３５は保持具３６に取り付けられた図示しないトーションバーの周囲に巻回されて常時巻き取られる方向に付勢されているが、引き出された際には、全閉と全開の途中の位置で停止するストッパー機能も備えられている。尚、このストッパー機能は下方に引く所定の操作で解除され、巻き取られるようになる。これにより、ナイトカバー３５は、保持具３６に引出／巻取自在とされる。
【００３２】
また、ナイトカバー３５の横幅は、実施例では、前面開口の幅寸法と略同等とされている。ナイトカバー３５の先端（下端）には左右に張る硬質樹脂製の縁部材３７が取り付けられている。縁部材３７の中央部には把手３８が形成されている。尚、当該把手３８若しくは、縁部材３７に別途形成される図示しない固定部材は、断熱壁３の下部に形成される前壁３Ｂ上端に形成される係止部材３９に係脱自在に取り付け可能とされている。
【００３３】
これにより、店舗の開店中はナイトカバー３５は図２の如く保持具３６に巻き取られている。そして、閉店する際には、ナイトカバー３５を保持具３６から引き出して降ろし、把手３８等を断熱壁３の前壁３Ｂ上端に形成される係止部材３９に係止させ、冷気エアーカーテンの外側で前面開口を覆う。これにより、閉店中は、前面開口をナイトカバー３５にて閉塞することにより、陳列室１１内の冷気を当該陳列室１１内に滞留させることができ、冷却効率の向上を図ることができる。
【００３４】
次に、本発明のカバー（予冷カバー３１）について、図４乃至図６を参照して説明する。図４はオープンショーケース１の部分拡大断面図、図５は同じくオープンショーケース１の部分拡大断面図、図６は予冷カバー３１と棚装置１２Ａの部分拡大断面図を示している。上記ナイトカバー３５よりも内側、具体的には、冷気吐出口１６の内側に位置する天面パネル７の下面には、前記予冷カバー（カバー）３１が取り付けられる保持具４０が取り付けられている。予冷カバー３１は、保持具４０の下面前端から下方に引き出される。また、当該予冷カバー３１は、合成樹脂シートにより構成されており、本実施例では、少なくとも前面には引き出された状態で視認可能とされる商品広告などの印刷が施されているものとする。
【００３５】
また、予冷カバー３１は保持具４０に取り付けられた図示しないトーションバーの周囲に巻回されて常時巻き取られる方向に付勢されているが、引き出された際には、全閉と全開の途中の位置で停止するストッパー機能も備えられていても良いものとする。尚、このストッパー機能は下方に引く所定の操作で解除され、巻き取られるようになる。これにより、予冷カバー３１は、保持具４０に引出／巻取自在とされる。
【００３６】
また、予冷カバー３１の横幅は、実施例では、前面開口の幅寸法と略同等とされている。予冷カバー３１の先端（下端）には全幅に渡って左右に張る硬質樹脂製の縁部材４１が取り付けられている。縁部材４１の中央部には把手４２が垂れ下がった状態で取り付けられており、把手４２が取り付けられる縁部材４１の裏面には、当接部４３が所定寸法で突出している。この当接部４３の裏面には上述した如き永久磁石３０が露出した状態で取り付けられ、更に、その下面（当接部４３下面）から係合辺（係合部）４４が永久磁石３０よりも後方にまで延出した状態で突出して形成される。尚、本実施例において当該当接部４３は、縁部材４１の中央に１つ設けられたものであるが、これに限定されるものではなく、所定間隔を存して、複数個設けられていても良いものとする。
【００３７】
これにより、陳列室１１の上部に形成される棚装置１２Ａや１２Ｂを他の棚装置１２と同様に、販売に供される商品を陳列して収納する場合には、予冷カバー３１は、保持部４０に巻き取られた状態で使用する。
【００３８】
他方、陳列室１１の上部に形成される棚装置１２Ａや１２Ｂの上面にストック商品Ｓを収納して使用する場合には、予冷カバー４１を保持具４０から引き出して当該棚装置１２Ａの前面若しくは、棚装置１２Ｂの前面にまで降ろし、縁部材４１の裏面に設けられる当接部４３を棚装置１２Ａ又は１２Ｂの前面に取り付けられる取付板３２又は棚装置１２を構成する前面板２７自体に取り付ける。ここで、陳列室１１内の最上段の棚装置１２Ａのみをストック商品Ｓの収納領域として使用する場合には、図４に示す如く棚装置１２Ａの前面に設けられた取付板３２に予冷カバー４１の当接部４３を取り付け、陳列室１１内の最上段の棚装置１２Ａ及びその直ぐ下の段の棚装置１２Ｂをストック商品Ｓの収納領域として使用する場合には、図５に示す如く棚装置１２Ｂの前面に設けられた取付板３２に予冷カバー４１の当接部４３を取り付ける。
【００３９】
このとき、本実施例では、当接部４３の裏面には、永久磁石３０が露出した状態で取り付けられており、棚装置側の取付板３２又は前面板２７は、磁石の吸着を許容する金属性材料にて構成されているため、当接部４３の永久磁石３０の磁力により、棚装置前部（前面板２７）の取付板３２に吸着させて取り付けることができる。
【００４０】
これにより、予冷カバー３１を引き出し、ストック商品Ｓが載置される棚装置１２Ａ又は１２Ｂの棚前部の取付板３２に縁部材４１の当接部４３を取り付けることにより、当該棚装置１２Ａ及び／又は１２Ｂ上の空間を前面より隠蔽することが可能となる。そのため、当該棚装置１２Ａ及び／又は１２Ｂ上にストック商品Ｓを収納し、予冷カバー３１により隠蔽しておくことで、ストック商品Ｓが顧客の目に触れることなく、且つ、販売の邪魔と成らないように陳列室１１内に収納しておくことが可能となる。
【００４１】
また、縁部材４１の当接部４３の永久磁石３０を棚前面の取付板３２から離間させることで、容易に予冷カバー３１を棚前部から取り外すことができ、これにより、容易に棚装置１２Ａ又は１２Ｂ上のストック商品Ｓの補充作業を行うことが可能となる。更に、ストック商品Ｓは予冷カバー３１によって前面が隠蔽されているため、誤って顧客がストック商品Ｓを取り出してしまう不都合を回避することが可能となる。
【００４２】
また、本実施例では、オープンショーケース１自体の高さを通常のオープンショーケースよりも高くすると共に、当該ストック商品Ｓを載置する棚装置１２Ａ及び１２Ｂを、販売には適さない高さ、即ち、顧客の手が届き難い高さに架設し、予冷カバー３１にて棚装置１２Ａ及び１２Ｂ上の空間を前面より隠蔽することで、オープンショーケース１上方のデッドスペースを有効に利用して、ストック商品Ｓの収納が可能となる。そのため、ストック商品Ｓを顧客の目に触れがたい状態で収納することができる共に、オープンショーケース１自体の販売に供される棚装置１２による商品収納量を減らすことなく、同一の陳列室１１内にストック商品Ｓを収納することが可能となる。
【００４３】
更に、本実施例における予冷カバー３１の縁部材４１に形成される当接部４３の下面には、永久磁石３０よりも後方にまで延在する係合辺４４が形成されているため、当該係合辺４４を棚装置１２Ａを構成する前面板２７の下端に宛い、棚板２５の下面に案内することができる。これにより、引き出された予冷カバー３１の縁部材４１の位置決めが容易となり、作業性の向上を図ることができる。
【００４４】
また、当該係合辺４４は、予冷カバー３１の縁部材４１が棚装置１２Ａ又は１２Ｂの前面部に取り付けられた状態で、棚板２５下面に支持されているため、作業者や顧客等が当該予冷カバー３１に触れてしまうことなどにより、永久磁石３０が外れてしまった場合であっても、安定して予冷カバー３１を棚前部に固定しておくことが可能となる。従って、不要に予冷カバー３１が巻き上げられてしまう不都合を回避することができる。
【００４５】
また、本実施例では、予冷カバー３１の少なくとも前面には、商品広告等の印刷が施されていることにより、当該予冷カバー３１にて陳列室１１上部の棚装置１２Ａ、１２Ｂ上のストック商品Ｓを隠蔽しつつ、顧客等の目に入りやすい位置にて商品情報のアピールを効果的に行うことが可能となる。
【００４６】
更に、本実施例では、予冷カバー３１の前側には、前面開口に冷気エアーカーテンが形成されているため、予冷カバー３１が下方に引き出された状態で使用されると、冷気吐出口１６から吐出された冷気は、予冷カバー３１の前面に沿って降下することとなり、冷気を円滑に下方に案内することができる。
【００４７】
また、当該予冷カバー３１にて前面が被覆された棚装置１２Ａ上の空間には、当該空間の上面を区画する天面パネル７に庫内温度センサ２４に吹き付けるための冷気吐出孔７Ｂを介して循環冷気が供給されるため、効率的に当該棚装置１２Ａ上に収納されたストック商品Ｓを冷却することが可能となる。そのため、当該ストック商品Ｓを陳列室１１の販売に供される棚装置１２上に補給した際に販売に供せるようになるまでの時間をなくし、又は、短縮することができるようになる。
【００４８】
この場合においても、予冷カバー３１の下端に取り付けられる縁部材４１の裏面中央には、所定寸法の当接部４３が設けられており、当該当接部４３の前後寸法分だけ棚装置１２Ａ又は１２Ｂの前面板２７と予冷カバー３１の縁部材４１との間に空間が形成されることとなるため、予冷カバー３１にて隠蔽された棚上の空間と、それ以外の陳列室１１内の空間における空気の流通を行うことが可能となる。これにより、冷気吐出口１６からの冷気により予冷カバー３１の前面が冷却されても、予冷カバー３１の内面に結露が発生する不都合を防止することが可能となる。
【００４９】
尚、上述した如き実施例では、陳列室１１内を冷却して使用する場合について説明しているが、例えば各棚装置１２に設けられる電気ヒータに通電を行うことにより、温蔵用のオープンショーケースとして使用した場合であっても、略同様の効果を得ることができる。また、陳列室１１内を冷却して使用する場合や加熱して使用する場合に限定されるものではなく、常温のショーケースであっても、同一の陳列室１１内にストック商品Ｓを効果的に収納することが可能となり、円滑な商品の補充を実現することが可能となる。
【００５０】
また、本実施例では、ストック商品Ｓを収納する棚装置１２として、陳列室１１の最上段及びその直ぐ下の段に架設される棚装置１２Ａと１２Ｂを例としているが、最上段の棚装置１２Ａのみであっても、更にその下方に架設される複数の棚をストック商品Ｓを収納する棚として用い、予冷カバー３１を当該棚装置１２にまで引き出し可能としても良いものとする。
【００５１】
また、本実施例では、予冷カバー３１は、冷気吐出口１６の内側に位置する天面パネル７下面に保持具４０により取り付けているが、これに限定されるものではなく、例えば、ストック商品Ｓを載置する棚装置１２の上方に位置する棚装置１２下面前部に予冷カバー３１を取り付けた保持具４０を取り付けて、当該棚装置上方の空間を隠蔽しても良いものとする。
【図面の簡単な説明】
【００５２】
【図１】オープンショーケースの斜視図である。
【図２】図１のオープンショーケースの縦断側面図である。
【図３】棚装置の部分斜視図である。
【図４】オープンショーケースの部分拡大断面図である。
【図５】オープンショーケースの部分拡大断面図である。
【図６】予冷カバーと棚装置の部分拡大断面図である。
【符号の説明】
【００５３】
Ｓ    ストック商品
１    オープンショーケース
６    背面パネル
７    天面パネル
７Ｂ  冷気吐出孔
９    背面ダクト
１１  陳列室
１２  棚装置
１４  下部ダクト
１５  冷却器
１６  冷気吐出口
１７  冷気吸込口
２４  庫内温度センサ
２５  棚板
２６  側板
２７  前面板
３０  永久磁石
３１  予冷カバー（カバー）
３２  取付板
３５  ナイトカバー
４０  保持具
４１  縁部材
４２  把手
４３  当接部
４４  係合辺（係合部）
【図１】
2008079675.tif 000003
【図２】
2008079675.tif 000004
【図３】
2008079675.tif 000005
【図４】
2008079675.tif 000006
【図５】
2008079675.tif 000007
【図６】
2008079675.tif 000008